(57)【特許請求の範囲】
【請求項１】
物体側より像側へ順に配置された、正の屈折力の第１レンズ群、負の屈折力の第２レンズ群、開口絞り、複数のレンズ群を有する後群からなり、ズーミングに際して隣り合うレンズ群の間隔が変化するズームレンズであって、
前記後群の最も像側に正の屈折力のレンズ群Ｌｐが配置され、該レンズ群Ｌｐの物体側に隣接して負の屈折力のレンズ群Ｌｎが配置され、
ズーミングに際して、前記第１レンズ群は不動であり、前記第２レンズ群と前記レンズ群Ｌｎは移動し、
前記第１レンズ群は、負レンズと、複数の正レンズとを有し、
前記第１レンズ群の焦点距離をｆ１、前記レンズ群Ｌｎの焦点距離をｆｎ、広角端における前記レンズ群Ｌｎの最も物体側のレンズ面から前記レンズ群Ｌｐの最も像側のレンズ面までの光軸上の距離をｄｎｐｗ、広角端における前記開口絞りから像面までの光軸上の距離をｄｒｗ、望遠端における前記第２レンズ群の横倍率をβ２Ｔ、広角端における前記第２レンズ群の横倍率をβ２Ｗとするとき、
４．５＜｜ｆ１／ｆｎ｜＜１０．０
０．０１＜ｄｎｐｗ／ｄｒｗ＜０．３０
２５．０＜β２Ｔ／β２Ｗ＜２００．０
なる条件式を満足することを特徴とするズームレンズ。
【請求項２】
前記レンズ群Ｌｐの焦点距離をｆｐとするとき、
２．０＜ｆ１／ｆｐ＜８．０
なる条件式を満足することを特徴とする請求項１に記載のズームレンズ。
【請求項３】
前記第２レンズ群の焦点距離をｆ２とするとき、
０．４＜｜ｆ２／ｆｎ｜＜２．０
なる条件式を満足することを特徴とする請求項１または２に記載のズームレンズ。
【請求項４】
前記第２レンズ群の焦点距離をｆ２、前記レンズ群Ｌｐの焦点距離をｆｐとするとき、
０．３＜｜ｆ２／ｆｐ｜＜１．５
なる条件式を満足することを特徴とする請求項１乃至３のいずれか１項に記載のズームレンズ。
【請求項５】
望遠端における前記レンズ群Ｌｎの横倍率をβｎＴ、望遠端における前記レンズ群Ｌｐの横倍率をβｐＴとするとき、
２．０＜｜（１−βｎＴ２）×βｐＴ２｜＜５．５
なる条件式を満足することを特徴とする請求項１乃至４のいずれか１項に記載のズームレンズ。
【請求項６】
広角端における前記ズームレンズの焦点距離をｆｗとするとき、
１．０＜｜ｆｎ／ｆｗ｜＜４．０
なる条件式を満足することを特徴とする請求項１乃至５のいずれか１項に記載のズームレンズ。
【請求項７】
望遠端における前記ズームレンズの焦点距離をｆｔとするとき、
０．０２＜｜ｆｎ／ｆｔ｜＜０．１０
なる条件式を満足することを特徴とする請求項１乃至６のいずれか１項に記載のズームレンズ。
【請求項８】
前記レンズ群Ｌｐの焦点距離をｆｐ、望遠端における前記ズームレンズの焦点距離をｆｔとするとき、
０．０３＜ｆｐ／ｆｔ＜０．１５
なる条件式を満足することを特徴とする請求項１乃至７のいずれか１項に記載のズームレンズ。
【請求項９】
広角端における前記レンズ群Ｌｎの横倍率をβｎＷ、望遠端における前記レンズ群Ｌｎの横倍率をβｎＴとするとき、
０．７＜βｎＴ／βｎＷ＜３．０
なる条件式を満足することを特徴とする請求項１乃至８のいずれか１項に記載のズームレンズ。
【請求項１０】
前記ズームレンズの全長をＴＤ、望遠端における前記ズームレンズの焦点距離をｆｔとするとき、
０．４０＜ＴＤ／ｆｔ＜０．８０
なる条件式を満足することを特徴とする請求項１乃至９のいずれか１項に記載のズームレンズ。
【請求項１１】
前記後群は、前記レンズ群Ｌｎより物体側に配置されたレンズ群を有し、該レンズ群は、ズーミングに際して移動することを特徴とする請求項１乃至１０のいずれか１項に記載のズームレンズ。
【請求項１２】
前記後群に含まれるレンズ群の中で最も物体側に配置されたレンズ群の焦点距離をｆ３とするとき、
１．５＜ｆ１／ｆ３＜６．０
なる条件式を満足することを特徴とする請求項１乃至１１のいずれか１項に記載のズームレンズ。
【請求項１３】
前記第２レンズ群の焦点距離をｆ２、前記後群に含まれるレンズ群の中で最も物体側に配置されたレンズ群の焦点距離をｆ３とするとき、
０．２＜｜ｆ２／ｆ３｜＜１．０
なる条件式を満足することを特徴とする請求項１乃至請求項１２のいずれか１項に記載のズームレンズ。
【請求項１４】
前記後群に含まれるレンズ群の中で最も物体側に配置されたレンズ群を第３レンズ群として、広角端における前記第３レンズ群の横倍率をβ３Ｗ、望遠端における前記第３レンズ群の横倍率をβ３Ｔとするとき、
０．１０＜β３Ｔ／β３Ｗ＜２．００
なる条件式を満足することを特徴とする請求項１乃至１３のいずれか１項に記載のズームレンズ。
【請求項１５】
前記第１レンズ群は、物体側から像側へ順に配置された、負レンズ、正レンズ、正レンズ、正レンズからなることを特徴とする請求項１乃至１４のいずれか１項に記載のズームレンズ。
【請求項１６】
前記第２レンズ群は、物体側から像側へ順に配置された、負レンズ、正レンズ、負レンズ、正レンズからなることを特徴とする請求項１乃至１５のいずれか１項に記載のズームレンズ。
【請求項１７】
前記第２レンズ群は、物体側から像側へ順に配置された、負レンズ、負レンズ、負レンズ、正レンズからなることを特徴とする請求項１乃至１５のいずれか１項に記載のズームレンズ。
【請求項１８】
前記後群に含まれるレンズ群の中で最も物体側に配置されたレンズ群は、正レンズからなることを特徴とする請求項１乃至１７のいずれか１項に記載のズームレンズ。
【請求項１９】
前記後群に含まれるレンズ群の中で最も物体側に配置されたレンズ群は、物体側から像側へ順に配置された、正レンズ、負レンズ、正レンズ、正レンズからなることを特徴とする請求項１乃至１７のいずれか１項に記載のズームレンズ。
【請求項２０】
前記レンズ群Ｌｎは、１枚の負レンズからなることを特徴とする請求項１乃至１９のいずれか１項に記載のズームレンズ。
【請求項２１】
前記レンズ群Ｌｐは、１枚の正レンズからなることを特徴とする請求項１乃至２０のいずれか１項に記載のズームレンズ。
【請求項２２】
前記後群は、物体側から像側へ順に配置された、正の屈折力の第３レンズ群、正の屈折力の第４レンズ群、負の屈折力の第５レンズ群、正の屈折力の第６レンズ群からなることを特徴とする請求項１乃至２１のいずれか１項に記載のズームレンズ。
【請求項２３】
前記後群は、物体側から像側へ順に配置された、正の屈折力の第３レンズ群、負の屈折力の第４レンズ群、正の屈折力の第５レンズ群からなることを特徴とする請求項１乃至２１のいずれか１項に記載のズームレンズ。
【請求項２４】
物体側より像側へ順に配置された、正の屈折力の第１レンズ群、負の屈折力の第２レンズ群、開口絞り、複数のレンズ群を有する後群からなり、ズーミングに際して隣り合うレンズ群の間隔が変化するズームレンズであって、
前記後群の最も像側に正の屈折力のレンズ群Ｌｐが配置され、該レンズ群Ｌｐの物体側に隣接して負の屈折力のレンズ群Ｌｎが配置され、
ズーミングに際して、前記第１レンズ群は不動であり、前記第２レンズ群と前記レンズ群Ｌｎは移動し、
前記第１レンズ群は、負レンズと、複数の正レンズとを有し、
前記第２レンズ群は、物体側から像側へ順に配置された、負レンズ、正レンズ、負レンズ、正レンズからなり、
前記第１レンズ群の焦点距離をｆ１、前記レンズ群Ｌｎの焦点距離をｆｎ、広角端における前記レンズ群Ｌｎの最も物体側のレンズ面から前記レンズ群Ｌｐの最も像側のレンズ面までの光軸上の距離をｄｎｐｗ、広角端における前記開口絞りから像面までの光軸上の距離をｄｒｗとするとき、
４．５＜｜ｆ１／ｆｎ｜＜１０．０
０．０１＜ｄｎｐｗ／ｄｒｗ＜０．４０
なる条件式を満足することを特徴とするズームレンズ。
【請求項２５】
物体側より像側へ順に配置された、正の屈折力の第１レンズ群、負の屈折力の第２レンズ群、開口絞り、複数のレンズ群を有する後群からなり、ズーミングに際して隣り合うレンズ群の間隔が変化するズームレンズであって、
前記後群の最も像側に正の屈折力のレンズ群Ｌｐが配置され、該レンズ群Ｌｐの物体側に隣接して負の屈折力のレンズ群Ｌｎが配置され、
ズーミングに際して、前記第１レンズ群は不動であり、前記第２レンズ群と前記レンズ群Ｌｎは移動し、
前記第１レンズ群は、負レンズと、複数の正レンズとを有し、
前記後群に含まれるレンズ群の中で最も物体側に配置されたレンズ群は、正レンズからなり、
前記第１レンズ群の焦点距離をｆ１、前記レンズ群Ｌｎの焦点距離をｆｎ、広角端における前記レンズ群Ｌｎの最も物体側のレンズ面から前記レンズ群Ｌｐの最も像側のレンズ面までの光軸上の距離をｄｎｐｗ、広角端における前記開口絞りから像面までの光軸上の距離をｄｒｗとするとき、
４．５＜｜ｆ１／ｆｎ｜＜１０．０
０．０１＜ｄｎｐｗ／ｄｒｗ＜０．４０
なる条件式を満足することを特徴とするズームレンズ。
【請求項２６】
請求項１乃至２５のいずれか１項に記載のズームレンズと、該ズームレンズによって形成された像を受光する撮像素子と、を有することを特徴とする撮像装置。
【発明の詳細な説明】
【技術分野】
【０００１】
本発明はズームレンズ及びそれを有する撮像装置に関し、特にデジタルスチルカメラ、ビデオカメラ、監視用カメラ、放送用カメラ等の撮像装置に用いる撮像光学系として好適なものである。
【背景技術】
【０００２】
近年、撮像装置に用いられる撮像光学系には、広画角、高ズーム比でしかも全系が小型
のズームレンズであることが要求されている。例えば撮像装置として、監視カメラにおいては広角端において広い範囲を撮影し、かつズーミングすることで遠くの被写体を拡大して鮮明に撮像できる広画角で高ズーム比のズームレンズであることが要望されている。これらの要望に応えるズームレンズとして、正の屈折力のレンズ群が先行する（最も物体側に位置する）ポジティブリード型のズームレンズが知られている。
【０００３】
このポジティブリード型のズームレンズにおいて、ズーミングに際して最も物体側の第１レンズ群が不動のズームレンズが知られている（特許文献１、２）。
【０００４】
特許文献１では、物体側より像側へ順に、正、負、正、正、負、正の屈折力の第１レンズ群乃至第６レンズ群の６つのレンズ群より成っている。ズーミングに際して第１レンズ群、第３レンズ群、第６レンズ群は不動で、第２レンズ群、第４レンズ群、第５レンズ群を移動させている。また特許文献１では、正、負、正、負、正の屈折力の第１レンズ群乃至第５レンズ群よりなり、ズーミングに際して第１レンズ群、第５レンズ群は不動で、第２レンズ群乃至第４レンズ群を移動させている。特許文献１は広角端の撮像画角８４度程度、ズーム比９程度のズームレンズを開示している。
【０００５】
特許文献２では、正、負、正、負、正の屈折力の第１レンズ群乃至第５レンズ群よりなり、ズーミングに際して第１レンズ群、第５レンズ群が不動で、第２レンズ群乃至第４レンズ群を移動させている。特許文献２は広角端の撮像画角５８度程度、ズーム比２０程度のズームレンズを開示している。
【先行技術文献】
【特許文献】
【０００６】
【特許文献１】特開２０１３−２１８２９１号公報
【特許文献２】特開２００６−３３７７４５号公報
【発明の概要】
【発明が解決しようとする課題】
【０００７】
ポジティブリード型のズームレンズは全系の小型化を図りつつ、広画角化及び高ズーム比化を図ることが比較的容易である。近年、撮像装置として、例えば監視カメラに全系が小型でありながら高ズーム比のズームレンズが強く要望されている。
【０００８】
前述したポジティブリード型のズームレンズにおいて、ズーミングに際して第１レンズ群を移動させるズーム方式を用いる高ズーム比が容易になる。しかしながら、例えば監視カメラにおいては、ズーミングに際して第１レンズ群を可動とすると、耐衝撃性、防水性、防塵性が弱くなってくる。このため監視カメラではズーミングに際して第１レンズ群が不動であり、しかも高ズーム比のズームレンズであること等が強く望まれている。
【０００９】
ポジティブリード型のズームレンズにおいて、全系の小型化を図りつつ、高ズーム比で全ズーム範囲にわたり高い光学性能を得るには、ズームレンズを構成するレンズ群の数、及び各レンズ群のレンズ構成等を適切に設定することが重要になってくる。
【００１０】
本発明は、例えば、高ズーム比、ズーム全域にわたる良好な光学特性、小型の点で有利なズームレンズの提供を目的とする。
【課題を解決するための手段】
【００１１】
本発明のズームレンズは、物体側より像側へ順に配置された、正の屈折力の第１レンズ群、負の屈折力の第２レンズ群、開口絞り、複数のレンズ群を有する後群からなり、ズーミングに際して隣り合うレンズ群の間隔が変化するズームレンズであって、
前記後群の最も像側に正の屈折力のレンズ群Ｌｐが配置され、該レンズ群Ｌｐの物体側に隣接して負の屈折力のレンズ群Ｌｎが配置され、
ズーミングに際して、前記第１レンズ群は不動であり、前記第２レンズ群と前記レンズ群Ｌｎは移動し、
前記第１レンズ群は、負レンズと、複数の正レンズとを有し、
前記第１レンズ群の焦点距離をｆ１、前記レンズ群Ｌｎの焦点距離をｆｎ、広角端における前記レンズ群Ｌｎの最も物体側のレンズ面から前記レンズ群Ｌｐの最も像側のレンズ面までの光軸上の距離をｄｎｐｗ、広角端における前記開口絞りから像面までの光軸上の距離をｄｒｗ、望遠端における前記第２レンズ群の横倍率をβ２Ｔ、広角端における前記第２レンズ群の横倍率をβ２Ｗとするとき、
４．５＜｜ｆ１／ｆｎ｜＜１０．０
０．０１＜ｄｎｐｗ／ｄｒｗ＜０．３０
２０．０＜β２Ｔ／β２Ｗ＜２００．０
なる条件式を満足することを特徴とするズームレンズである。
【発明の効果】
【００１２】
本発明によれば、例えば、高ズーム比、ズーム全域にわたる良好な光学特性、小型の点で有利なズームレンズの提供ができる。
【図面の簡単な説明】
【００１３】
【図１】実施例１のズームレンズの広角端におけるレンズ断面図
【図２】（Ａ）、（Ｂ）、（Ｃ）  実施例１のズームレンズの広角端、中間のズーム位置、望遠端における収差図
【図３】実施例２のズームレンズの広角端におけるレンズ断面図
【図４】（Ａ）、（Ｂ）、（Ｃ）  実施例２のズームレンズの広角端、中間のズーム位置、望遠端における収差図
【図５】実施例３のズームレンズの広角端におけるレンズ断面図
【図６】（Ａ）、（Ｂ）、（Ｃ）  実施例３のズームレンズの広角端、中間のズーム位置、望遠端における収差図
【図７】実施例４のズームレンズの広角端におけるレンズ断面図
【図８】（Ａ）、（Ｂ）、（Ｃ）  実施例４のズームレンズの広角端、中間のズーム位置、望遠端における収差図
【図９】実施例５のズームレンズの広角端におけるレンズ断面図
【図１０】（Ａ）、（Ｂ）、（Ｃ）  実施例５のズームレンズの広角端、中間のズーム位置、望遠端における収差図
【図１１】本発明の撮像装置の要部概略図
【発明を実施するための形態】
【００１４】
以下に、本発明の好ましい実施形態を添付の図面に基づいて詳細に説明する。本発明のズームレンズは、物体側より像側へ順に配置された、正の屈折力の第１レンズ群、負の屈折力の第２レンズ群、開口絞り、複数のレンズ群を有する後群からなり、ズーミングに際して隣り合うレンズ群の間隔が変化する。後群の最も像側に正の屈折力のレンズ群Ｌｐが配置されている。レンズ群Ｌｐの物体側に隣接して負の屈折力のレンズ群Ｌｎが配置されている。ズーミングに際して第１レンズ群は不動であり、第２レンズ群とレンズ群Ｌｎは移動する。
【００１５】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比３９．０８、Ｆナンバー１．６５〜４．９４のズームレンズである。
【００１６】
図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比４３．９５、Ｆナンバー１．７３〜５．１４のズームレンズである。
【００１７】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比３９．１０、Ｆナンバー１．６５〜４．９０のズームレンズである。
【００１８】
図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比３９．１０、Ｆナンバー１．６５〜４．９０のズームレンズである。
【００１９】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比４３．９９、Ｆナンバー１．６５〜４．９０のズームレンズである。図１１は本発明の撮像装置の要部概略図である。
【００２０】
各実施例のズームレンズはビデオカメラ、デジタルカメラ、ＴＶカメラ、監視用カメラ、そして銀塩フィルムカメラ等の撮像装置に用いられる撮像光学系である。レンズ断面図において、左方が被写体側（物体側）（前方）で、右方が像側（後方）である。レンズ断面図において、ｉは物体側からのレンズ群の順番を示し、Ｌｉは第ｉレンズ群である。
ＬＲは複数のレンズ群を含む後群である。
【００２１】
レンズ断面図において、ＳＰは開口絞りであり、第３レンズ群Ｌ３の物体側に配置している。レンズ断面図において、ＧＢは光学フィルター、フェースプレート、水晶ローパスフィルター、赤外カットフィルター等に相当する光学素子である。ＩＰは像面であり、ビデオカメラやデジタルスチルカメラの撮像光学系として使用する際にはＣＣＤセンサやＣＭＯＳセンサ等の固体撮像素子（光電変換素子）が像面に、銀塩フィルム用カメラのときはフィルム面に相当する感光面が置かれる。
【００２２】
矢印は広角端から望遠端へのズーミング（変倍）に際して、各レンズ群の移動軌跡と、フォーカシングの際のレンズ群の移動方向を示している。収差図のうち球面収差において、実線のｄはｄ線（波長５８７．６ｎｍ）、２点鎖線のｇはｇ線（波長４３５．８ｎｍ）である。非点収差図において点線のＭはｄ線のメリディオナル像面、実線のＳはｄ線のサジタル像面である。倍率色収差はｄ線に対するｇ線によって表している。ωは半画角（撮影画角の半分の値）（度）、ＦｎｏはＦナンバーである。
【００２３】
実施例１乃至３のレンズ断面図において、Ｌ１は正の屈折力の第１レンズ群、Ｌ２は負の屈折力の第２レンズ群、ＬＲは後群である。後群ＬＲは正の屈折力の第３レンズ群Ｌ３、正の屈折力の第４レンズ群Ｌ４、負の屈折力の第５レンズ群Ｌ５、正の屈折力の第６レンズ群Ｌ６より構成される。実施例１乃至３は６群ズームレンズである。
【００２４】
実施例１乃至３ではズーミングに際して第１レンズ群Ｌ１と第６レンズ群Ｌ６は不動である。広角端から望遠端へのズーミングに際して矢印のように第２レンズ群Ｌ２は像側へ移動する。第３レンズ群Ｌ３、第４レンズ群Ｌ４、第５レンズ群Ｌ５は各々異なった軌跡で一度物体側へ移動した後、像側へ移動し、再び物体側へと非直線的に移動する。開口絞りＳＰは不動である。
【００２５】
第５レンズ群Ｌ５を移動させて変倍に伴う像面変動を補正すると共に、フォーカシングを行っている。第５レンズ群Ｌ５に関する実線の曲線５ａと点線の曲線５ｂは、各々無限遠物体と近距離物体にフォーカスしているときの変倍に伴う像面変動を補正するための移動軌跡である。また、無限遠物体から近距離物体へフォーカスは、矢印５ｃに示す如く第５レンズ群Ｌ５を後方に（像側へ）繰り込むことで行っている。尚、フォーカシングは第５レンズ群Ｌ５に限らず、その他のレンズ群を単独、もしくは複数のレンズ群を用いて行っても良い。
【００２６】
実施例４、５のレンズ断面図においてＬ１は正の屈折力の第１レンズ群、Ｌ２は負の屈折力の第２レンズ群、ＬＲは後群である。後群ＬＲは正の屈折力の第３レンズ群Ｌ３、負の屈折力の第４レンズ群Ｌ４、正の屈折力の第５レンズ群Ｌ５より構成される。実施例４、５は５群ズームレンズである。実施例４、５ではズーミングに際して第１レンズ群Ｌ１と第５レンズ群Ｌ５は不動である。
【００２７】
実施例４、５では広角端から望遠端へのズーミングに際して矢印のように第２レンズ群Ｌ２は像側へ移動する。第３レンズ群Ｌ３と第４レンズ群Ｌ４は各々異なった軌跡で一度物体側へ移動した後、像側へ移動し、再び物体側へと非直線的に移動する。開口絞りＳＰは不動である。実施例４、５では第４レンズ群Ｌ４を移動させて変倍に伴う像面変動を補正すると共に、フォーカシングを行っている。
【００２８】
第４レンズ群Ｌ４に関する実線の曲線４ａと点線の曲線４ｂは、各々無限遠物体と近距離物体にフォーカスしているときの変倍に伴う像面変動を補正するための移動軌跡である。また、無限遠物体から近距離物体へフォーカスは、矢印４Ｃに示す如く第４レンズ群Ｌ４を後方に繰り込むことで行っている。
【００２９】
尚、フォーカシングは第４レンズ群Ｌ４に限らず、その他のレンズ群を単独、もしくは複数のレンズ群を用いて行っても良い。各実施例において開口絞りＳＰの開口径はズーミングの際に一定とすることも、ズーミングに応じて変化させても良い。開口絞りＳＰの開口径をズーミングに際して変化させると、軸外マージナル光線をカットし、コマフレアを低減することができるため、より良好な光学性能を容易に得ることができる。
【００３０】
本発明のズームレンズは、広画角かつ全系が小型でズーム全域で良好な光学性能を有するズームレンズを提供することを目的としている。本発明のズームレンズでは、物体側から像側へ順に正の屈折力の第１レンズ群Ｌ１、負の屈折力の第２レンズ群Ｌ２、開口絞りＳＰ、複数のレンズ群を有する後群ＬＲからなる構成としている。そして後群ＬＲの最も像側に正の屈折力のレンズ群Ｌｐを配置し、その物体側に負の屈折力のレンズ群Ｌｎを配置した構成としている。
【００３１】
第１レンズ群Ｌ１は負レンズと、２枚以上の正レンズを有している。第１レンズ群Ｌ１の焦点距離をｆ１、レンズ群Ｌｎの焦点距離をｆｎとする。広角端におけるレンズ群Ｌｎの最も物体側のレンズ面からレンズ群Ｌｐの最も像側のレンズ面までの光軸上の距離をｄｎｐｗ、広角端における開口絞りＳＰから像面までの光軸上の距離をｄｒｗとする。このとき、
４．５＜｜ｆ１／ｆｎ｜＜１０．０      ・・・（１）
０．０１＜ｄｎｐｗ／ｄｒｗ＜０．４０  ・・・（２）
なる条件式を満足する。
【００３２】
本発明のズームレンズは、後群ＬＲのレンズ構成を前述の如く構成することでフォーカス用の負の屈折力のレンズ群Ｌｎの位置敏感度（フォーカス敏感度）を比較的高くしている。更にズーミングに際しての像面補正やフォーカシングに際してのストローク（移動量）を短くすることを容易にしている。
【００３３】
そして、開口絞りＳＰから像面までの長さを短くして、変倍効果が大きい主変倍レンズ群である第２レンズ群Ｌ２のストロークの長さを確保しやすくして、高ズーム比化を容易にしている。さらに条件式（１）、（２）を満足することにより、高ズーム比化、かつ全系の小型化を図りつつ、ズーム全域にわたって良好な光学性能を有するズームレンズを実現している。
【００３４】
条件式（１）は第１レンズ群Ｌ１の焦点距離とレンズ群Ｌｎの焦点距離の比を規定している。条件式（１）を満たすことで高ズーム比化を図りつつ、良好な光学性能を得ている。条件式（１）の下限値を超えて第１レンズ群Ｌ１の正の焦点距離が短くなりすぎると（正の屈折力が強くなりすぎると）、特に望遠端において球面収差や軸上色収差が増大し、これらの諸収差の補正が困難となる。
【００３５】
また、条件式（１）の下限値を超えてレンズ群Ｌｎの負の焦点距離が長くなりすぎると（負の屈折力の絶対値が小さくなりすぎると）、位置敏感度が小さくなり、ズーミングに際しての像面変動の補正やフォーカシングのためのストロークが長くなる。その結果、レンズ全長が長くなってくる。
【００３６】
一方、条件式（１）の上限値を越えて第１レンズ群Ｌ１の焦点距離が長くなりすぎると、高ズーム比化のために第２レンズ群Ｌ２のストロークを長くする必要があり、レンズ全長が長くなってくる。また、条件式（１）の上限値を越えてレンズ群Ｌｎの負の焦点距離が短くなりすぎると（負の屈折力の絶対値が大きくなりすぎると）、特に広角端において像面湾曲の補正が困難となる。
【００３７】
条件式（２）は広角端におけるレンズ群Ｌｎの物体側のレンズ面からレンズ群Ｌｐの像側のレンズ面までの光軸上の距離を規定している。条件式（２）を満たすことでレンズ系の小型化を図りつつ、良好な光学性能を得ている。条件式（２）の下限値を超えて広角端におけるレンズ群Ｌｎの物体側のレンズ面からレンズ群Ｌｐの像側のレンズ面までの光軸上の距離が短くなりすぎると、特に広角端において像面湾曲が増大し、像面湾曲の補正が困難となる。
【００３８】
一方、条件式（２）の上限値を越えて広角端におけるレンズ群Ｌｎの物体側のレンズ面からレンズ群Ｌｐの像側のレンズ面までの光軸上の距離が長くなりすぎると、レンズ全長が長くなってくる。
【００３９】
各実施例では上記の如く、条件式（１）、（２）を満足するように各要素を適切に設定している。これにより高ズーム比かつ全系が小型で良好な光学性能を持ったズームレンズを得ている。
【００４０】
なお、各実施例において、好ましくは条件式（１）、（２）の数値範囲を次のようにするのがよい。
５．０＜｜ｆ１／ｆｎ｜＜７．５      ・・・（１ａ）
０．０７＜ｄｎｐｗ／ｄｒｗ＜０．３０・・・（２ａ）
【００４１】
以上の構成をとることにより、本発明によれば、高ズーム比かつ全系が小型で良好な光学性能を有するズームレンズを実現することができる。
【００４２】
本発明のズームレンズにおいて、好ましくは次の条件式のうち１つ以上を満足するのが良い。
【００４３】
２．０＜ｆ１／ｆｐ＜８．０                    ・・・（３）
０．４＜｜ｆ２／ｆｎ｜＜２．０                ・・・（４）
０．３＜｜ｆ２／ｆｐ｜＜１．５                ・・・（５）
２．０＜｜（１−βｎＴ2）×βｐＴ2｜＜５．５  ・・・（６）
１．０＜｜ｆｎ／ｆｗ｜＜４．０                ・・・（７）
０．０２＜｜ｆｎ／ｆｔ｜＜０．１０            ・・・（８）
０．０３＜ｆｐ／ｆｔ＜０．１５                ・・・（９）
２０．０＜β２Ｔ／β２Ｗ＜２００．０          ・・・（１０）
０．７＜βｎＴ／βｎＷ＜３．０                ・・・（１１）
０．４０＜ＴＤ／ｆｔ＜０．８０                ・・・（１２）
１．５＜ｆ１／ｆ３＜６．０                    ・・・（１３）
０．２＜｜ｆ２／ｆ３｜＜１．０                ・・・（１４）
０．１０＜β３Ｔ／β３Ｗ＜２．００            ・・・（１５）
【００４４】
ここで、レンズ群Ｌｐの焦点距離をｆｐ、第２レンズ群の焦点距離をｆ２、望遠端におけるレンズ群Ｌｎの横倍率をβｎＴ、望遠端におけるレンズ群Ｌｐの横倍率をβｐＴとする。
【００４５】
また、広角端における全系の焦点距離をｆｗ、望遠端における全系の焦点距離をｆｔ、望遠端における第２レンズ群Ｌ２の横倍率をβ２Ｔ、広角端における第２レンズ群Ｌ２の横倍率をβ２Ｗとする。広角端におけるレンズ群Ｌｎの横倍率をβｎＷ、望遠端におけるレンズ群Ｌｎの横倍率をβｎＴ、レンズ全長をＴＤ、後群ＬＲの最も物体側のレンズ群を第３レンズ群Ｌ３とする。第３レンズ群Ｌ３の焦点距離をｆ３とする。さらに、広角端における後群ＬＲの最も物体側のレンズ群の横倍率をβ３Ｗ、望遠端における後群の最も物体側のレンズ群の横倍率をβ３Ｔとする。
【００４６】
次に前述の各条件式の技術的意味について説明する。条件式（３）は第１レンズ群Ｌ１の焦点距離と正レンズ群Ｌｐの焦点距離の比を規定している。条件式（３）を満たすことでレンズ系の小型化を図りつつ、良好な光学性能を得ている。条件式（３）の下限値を超えて第１レンズ群Ｌ１の焦点距離が短くなりすぎると特に望遠端において球面収差や軸上色収差が増大し、これらの諸収差の補正が困難となる。また、条件式（３）の下限値を超えて正レンズ群Ｌｐの焦点距離が長くなりすぎると、バックフォーカスが長くなり、レンズ全長が長くなってくる。
【００４７】
一方、条件式（３）の上限値を超えて第１レンズ群Ｌ１の焦点距離が長くなりすぎると高ズーム比化した際にレンズ全長が長くなってくる。また、条件式（３）の上限値を超えて正レンズ群Ｌｐの焦点距離が短くなりすぎると、ズーム全域において像面湾曲や倍率色収差が増大し、これらの諸収差の補正が困難となる。
【００４８】
条件式（４）は、第２レンズ群Ｌ２の焦点距離と負レンズ群Ｌｎの焦点距離の比を規定している。条件式（４）を満たすことでレンズ系の小型化を図りつつ良好な光学性能を得ている。条件式（４）の下限値を超えて第２レンズ群Ｌ２の焦点距離が短くなりすぎると、ズーミングに際して像面湾曲の変動や、倍率色収差の変動が大きくなってくる。また、条件式（４）の下限値を超えて負レンズ群Ｌｎの負の焦点距離が長くなりすぎると、位置敏感度が小さくなり、ズーミングに際しての像面補正やフォーカシングのためのストロークが長くなる。その結果、レンズ全長が長くなってくる。
【００４９】
一方、条件式（４）の上限値を超えて第２レンズ群Ｌ２の負の焦点距離が長くなりすぎると高いズーム比を得る為、長いストロークが必要となる。その結果、レンズ全長が長くなってくる。また、条件式（４）の上限値を超えて負レンズ群Ｌｎの負の焦点距離が短くなりすぎると、特に広角端において像面湾曲が増大し、像面湾曲の補正が困難となる。
【００５０】
条件式（５）は、第２レンズ群Ｌ２の焦点距離と負レンズ群Ｌｐの負の焦点距離の比を規定している。条件式（５）を満たすことでレンズ系の小型化を図りつつ、良好な光学性能を得ている。条件式（５）の下限値を超えて第２レンズ群Ｌ２の焦点距離が短くなりすぎると、ズーミングに際して像面湾曲の変動や、倍率色収差の変動が大きくなってくる。また、条件式（５）の下限値を超えて正レンズ群Ｌｐの焦点距離が長くなりすぎると、バックフォーカスが長くなり、レンズ全長が長くなってくる。
【００５１】
一方、条件式（５）の上限値を超えて第２レンズ群Ｌ２の焦点距離が長くなりすぎると高ズーム比を得るための長いストロークが必要となる。その結果、レンズ全長が長くなってくる。また、条件式（５）の上限値を超えて正レンズ群Ｌｐの焦点距離が短くなりすぎると、ズーム全域において像面湾曲や倍率色収差が増大し、これらの諸収差の補正が困難となる。
【００５２】
条件式（６）は、負レンズ群Ｌｎの望遠端の位置敏感度を規定したものである。
条件式（６）を満たすことでレンズ系の小型化と良好な光学性能の両立が可能となる。
条件式（６）の下限値を超えて負レンズ群Ｌｎの位置敏感度が小さくなりすぎると、高ズーム比化した際の望遠端において像面位置補正、フォーカシングのためのストロークが長くなってしまい、その結果レンズ全長が長くなってしまうため好ましくない。
【００５３】
一方、条件式（６）の上限値を超えて負レンズ群Ｌｎの位置敏感度が大きくなりすぎると、負レンズ群Ｌｎの焦点距離が短くなってしまい、特に広角端における像面湾曲の補正が困難となるため好ましくない。
【００５４】
条件式（７）は、負レンズ群Ｌｎの負の焦点距離と広角端における全系の焦点距離の比を規定している。条件式（７）を満たすことでレンズ系の小型化を図りつつ、良好な光学性能を得ている。条件式（７）の下限値を超えて負レンズ群Ｌｎの負の焦点距離が短くなりすぎると、特に広角端において像面湾曲の補正が困難となる。一方、条件式（７）の上限値を超えて負レンズ群Ｌｎの負の焦点距離が長くなりすぎると、位置敏感度が小さくなり、ズーミングに際しての像面変動の補正やフォーカシングのためのストロークが長くなり、レンズ全長が増大してくる。
【００５５】
条件式（８）は、負レンズ群Ｌｎの負の焦点距離と望遠端における全系の焦点距離の比を規定している。条件式（８）を満たすことでレンズ系の小型化を図りつつ、良好な光学性能を得ている。条件式（８）の下限値を超えて負レンズ群Ｌｎの負の焦点距離が短くなりすぎると、特に広角端において像面湾曲の補正が困難となる。一方、条件式（８）の上限値を超えて負レンズ群Ｌｎの負の焦点距離が長くなりすぎると、位置敏感度が小さくなり、ズーミングに際しての像面変動の補正やフォーカシングのためのストロークが長くなり、レンズ全長が増大してくる。
【００５６】
条件式（９）は、正レンズ群Ｌｐの正の焦点距離と望遠端における全系の焦点距離の比を規定している。条件式（９）を満たすことでレンズ系の小型化を図りつつ、良好な光学性能を得ている。条件式（９）の下限値を超えて正レンズ群Ｌｐの焦点距離が短くなりすぎると、ズーム全域において像面湾曲や倍率色収差が増大し、これらの諸収差の補正が困難となる。一方、条件式（９）の上限値を超えて正レンズ群Ｌｐの焦点距離が長くなりすぎると、バックフォーカスが長くなり、レンズ全長が長くなってくる。
【００５７】
条件式（１０）は、第２レンズ群Ｌ２の変倍比を規定している。条件式（１０）を満たすことでレンズ系の小型化を図りつつ、良好な光学性能を得ている。条件式（１０）の下限値を超えて第２レンズ群Ｌ２の変倍比が小さくなりすぎると、後群ＬＲの変倍比を大きくするために負レンズ群Ｌｎの焦点距離が短くなりすぎてしまい、特に広角端において像面湾曲の補正が困難となる。一方、条件式（１０）の上限値を超えて第２レンズ群Ｌ２の変倍比が大きくなりすぎると、第２レンズ群Ｌ２の焦点距離が短くなりすぎてしまい、ズーミングに際しての像面湾曲の変動や倍率色収差の変動が大きくなってくる。
【００５８】
条件式（１１）は、レンズ群Ｌｎの変倍比を規定している。条件式（１１）を満たすことでレンズ系の小型化を図りつつ、良好な光学性能を得ている。条件式（１１）の下限値を超えてレンズ群Ｌｎの変倍比が小さくなりすぎると、主変倍レンズ群である第２レンズ群Ｌ２の変倍分担が大きくなりすぎ、ズーミングに際して像面湾曲の変動や倍率色収差の変動が大きくなってくる。一方、条件式（１１）の上限値を超えてレンズ群Ｌｎの変倍比が大きくなりすぎると、負レンズ群Ｌｎの焦点距離が短くなりすぎてしまい、特に広角端において像面湾曲の補正が困難となる。
【００５９】
条件式（１２）は、レンズ全長と望遠端における全系の焦点距離の比を規定している。条件式（１２）を満たすことでレンズ系の小型化と良好な光学性能の両立が可能となる。条件式（１２）の下限値を超えて望遠端における全系の焦点距離に対してレンズ全長が短くなりすぎると、第１レンズ群Ｌ１の焦点距離が短くなりすぎてしまい、特に望遠端において球面収差や軸上色収差が増大し、これらの諸収差の補正が困難となる。また、第２レンズ群Ｌ２の焦点距離も短くなりすぎてしまい、ズーミングに際して像面湾曲の変動や倍率色収差の変動が大きくなってくる。
【００６０】
一方、条件式（１２）の上限値を超えて望遠端における全系の焦点距離に対してレンズ全長が長くなりすぎると、第１レンズ群Ｌ１のレンズ外径（有効径）も大きくなり、レンズ全系が大型化してくる。
【００６１】
条件式（１３）は、第１レンズ群Ｌ１の焦点距離と後群ＬＲの最も物体側のレンズ群（各実施例では第３レンズ群Ｌ３）の焦点距離を規定している。条件式（１３）を満たすことでレンズ系の小型化を図りつつ、良好な光学性能を得ている。条件式（１３）の下限値を超えて第１レンズ群Ｌ１の焦点距離が短くなりすぎると、特に望遠端において球面収差や軸上色収差が増大し、これらの諸収差の補正が困難となる。また、条件式（１３）の下限値を超えて後群ＬＲの最も物体側のレンズ群の焦点距離が長くなりすぎると、変倍のためのストロークが長くなり、その結果、レンズ全長が長くなってくる。
【００６２】
一方、条件式（１３）の上限値を超えて第１レンズ群Ｌ１の焦点距離が長くなりすぎると、高ズーム比化した際にレンズ全長が長くなってくる。また、条件式（１３）の上限値を超えて後群ＬＲの最も物体側のレンズ群の焦点距離が短くなりすぎると、特に広角端において球面収差やコマ収差が増大し、これらの諸収差の補正が困難となる。
【００６３】
条件式（１４）は、第２レンズ群Ｌ２の焦点距離と後群ＬＲの最も物体側のレンズ群（各実施例では第３レンズ群Ｌ３）の焦点距離を規定している。条件式（１４）を満たすことでレンズ系の小型化を図りつつ、良好な光学性能を得ている。条件式（１４）の下限値を超えて第２レンズ群Ｌ２の負の焦点距離が短くなりすぎると、ズーミングに際して像面湾曲の変動や、倍率色収差の変動が大きくなってくる。
【００６４】
また、条件式（１４）の下限値を超えて後群ＬＲの最も物体側のレンズ群の焦点距離が長くなりすぎると、変倍のためのストロークが長くなり、その結果、レンズ全長が長くなってくる。一方、条件式（１４）の上限値を超えて第２レンズ群Ｌ２の焦点距離が長くなりすぎると、高ズーム比を確保するためのストロークが長くなる。その結果、レンズ全長が長くなってくる。また、条件式（１４）の上限値を超えて後群ＬＲの最も物体側のレンズ群の焦点距離が短くなりすぎると、特に広角端において球面収差やコマ収差が増大し、これらの諸収差の補正が困難となる。
【００６５】
条件式（１５）は、後群ＬＲの最も物体側のレンズ群の変倍比を規定している。条件式（１５）を満たすことでレンズ系の小型化を図りつつ、良好な光学性能を得ている。条件式（１５）の下限値を超えて後群ＬＲの最も物体側のレンズ群の変倍比が小さくなりすぎると、主変倍レンズ群である第２レンズ群Ｌ２の変倍分担が大きくなりすぎ、ズーミングに際して像面湾曲の変動や倍率色収差の変動が大きくなってくる。
【００６６】
一方、条件式（１５）の上限値を超えて後群ＬＲの最も物体側のレンズ群の変倍比が大きくなりすぎると、後群ＬＲの最も物体側のレンズ群の焦点距離が短くなりすぎ、特に広角端において球面収差やコマ収差が増大し、これらの諸収差の補正が困難となる。なお、各実施例において、更に好ましくは条件式（３）乃至（１５）の数値範囲を次のようにするのがよい。
【００６７】
３．０＜ｆ１／ｆｐ＜６．０                    ・・・（３ａ）
０．７＜｜ｆ２／ｆｎ｜＜１．５                ・・・（４ａ）
０．４＜｜ｆ２／ｆｐ｜＜０．８                ・・・（５ａ）
２．５＜｜（１−βｎＴ2）×βｐＴ2｜＜４．８  ・・・（６ａ）
１．５＜｜ｆｎ／ｆｗ｜＜３．０                ・・・（７ａ）
０．０３＜｜ｆｎ／ｆｔ｜＜０．０７            ・・・（８ａ）
０．０５＜ｆｐ／ｆｔ＜０．１０                ・・・（９ａ）
２５．０＜β２Ｔ／β２Ｗ＜１７０．０          ・・・（１０ａ）
１．０＜βｎＴ／βｎＷ＜２．０                ・・・（１１ａ）
０．４５＜ＴＤ／ｆｔ＜０．７０                ・・・（１２ａ）
２．５＜ｆ１／ｆ３＜４．０                    ・・・（１３ａ）
０．３＜｜ｆ２／ｆ３｜＜０．７                ・・・（１４ａ）
０．１２＜β３Ｔ／β３Ｗ＜１．５０            ・・・（１５ａ）
【００６８】
各実施例では、以上のように各要素を構成することにより、小型で高ズーム比であり全ズーム範囲にわたり良好な光学性能を有するズームレンズを得ている。尚、以上の条件式は任意に複数組み合わせれば、さらに本発明の効果を高めることができる。尚、本発明のズームレンズにおいて収差補正上、好ましくは次の如く構成するのが良い。
【００６９】
後群ＬＲはレンズ群Ｌｎより物体側にレンズ群を有し、該レンズ群はズーミングに際して移動するのが良い。第１レンズ群Ｌ１は、物体側から像側へ順に配置された、負レンズ、正レンズ、正レンズ、正レンズからなるのが良い。第２レンズ群Ｌ２は、物体側から像側へ順に配置された、負レンズ、正レンズ、負レンズ、正レンズからなるのが良い。または第２レンズ群Ｌ２は、物体側から像側へ順に配置された、負レンズ、負レンズ、負レンズ、正レンズからなるのが良い。
【００７０】
後群ＬＲの最も物体側のレンズ群は、正レンズからなること、または後群ＬＲの最も物体側のレンズ群は、物体側から像側へ順に配置された、正レンズ、負レンズ、正レンズ、正レンズからなるのが良い。レンズ群Ｌｎは、１枚の負レンズからなることが良い。レンズ群Ｌｐは、１枚の正レンズからなることが良い。
【００７１】
次に各実施例の各レンズ群のレンズ構成について説明する。各レンズ群の構成は特に断りがない限り、物体側から像側へ順に配置されている。
【００７２】
［実施例１］
第１レンズ群Ｌ１は、物体側の面が凸でメニスカス形状の負レンズと物体側の面が凸でメニスカス形状の正レンズが接合された接合レンズ、物体側の面が凸でメニスカス形状の正レンズ、物体側の面が凸でメニスカス形状の正レンズより構成している。
【００７３】
本実施例では３枚の正レンズを用いることにより、各レンズのレンズ面の屈折力を大きくせずにすむため、特に高ズーム比化した際に望遠端において軸上色収差や球面収差、コマ収差等を効果的に軽減している。第２レンズ群Ｌ２は、物体側の面が凸でメニスカス形状の負レンズ、物体側の面が凹形状の正レンズと両凹形状の負レンズが接合された接合レンズ、物体側の面が凸でメニスカス形状の正レンズより構成している。このレンズ構成により広角端において像面湾曲、ズーム全域において倍率色収差の補正を効果的に行っている。
【００７４】
第３レンズ群Ｌ３は、両凸形状で両面が非球面形状の正レンズより構成している。このレンズ構成により特に広角端における球面収差やコマ収差の補正を効果的に行っている。第４レンズ群Ｌ４は物体側の面が凸でメニスカス形状の正レンズと物体側の面が凸でメニスカス形状の負レンズが接合された接合レンズ、両凸形状で両面が非球面形状の正レンズより構成している。
【００７５】
接合レンズを有することで、ズーム全域において軸上色収差の発生を軽減している。また、両面が非球面形状の正レンズを有することで高ズーム比化しつつズーム全域において球面収差やコマ収差の発生を軽減している。第５レンズ群Ｌ５は両凹形状の負レンズより構成している。１枚の負レンズとすることで軽量化し、フォーカシングを行うときに迅速な制御を容易にしている。
【００７６】
第６レンズ群Ｌ６は、両凸形状の正レンズより構成している。最終レンズ群を正の屈折力のレンズ群とすることでテレセントリック性を高くし、軸外光束が撮像素子へ垂直に近い角度で入射するようにして、シェーディングによる画面周辺の光量落ちを軽減している。
【００７７】
［実施例２］
実施例２の各レンズ群のレンズ構成は実施例１と同じである。
【００７８】
［実施例３］
第１レンズ群Ｌ１、第２レンズ群Ｌ２、第３レンズ群Ｌ３のレンズ構成は実施例１と同じである。第４レンズ群Ｌ４は、物体側の面が凸でメニスカス形状の負レンズ、物体側の面が凸でメニスカス形状の正レンズ、両凸形状で両面が非球面形状の正レンズより構成している。第５レンズ群Ｌ５と第６レンズ群Ｌ６のレンズ構成は実施例１と同じである。
【００７９】
［実施例４］
第１レンズ群Ｌ１のレンズ構成は、実施例１と同じである。第２レンズ群Ｌ２は、物体側の面が凸でメニスカス形状の負レンズ、物体側の面が凸でメニスカス形状の負レンズ、両凹形状の負レンズ、両凸形状の正レンズより構成している。
【００８０】
第３レンズ群Ｌ３は物体側の面が凸で物体側の面が非球面形状の正レンズ、物体側の面が凸でメニスカス形状の負レンズと物体側の面が凸でメニスカス形状の正レンズが接合された接合レンズ、両凸形状で両面が非球面形状の正レンズより構成している。第４レンズ群Ｌ４は両凹形状の負レンズ１枚より構成している。第５レンズ群Ｌ５は両凸形状の正レンズ１枚より構成している。
【００８１】
［実施例５］
実施例５の各レンズ群のレンズ構成は、実施例４と同じである。
【００８２】
次に本発明のズームレンズを撮像光学系として用いた撮像装置（監視カメラ）の実施例を図１１を用いて説明する。
【００８３】
図１１において、１０は監視カメラ本体、１１は実施例１乃至５で説明したいずれかのズームレンズによって構成された撮像光学系である。１２はカメラ本体に内蔵され、撮像光学系１１によって形成された被写体像を受光するＣＣＤセンサやＣＭＯＳセンサ等の撮像素子（光電変換素子）である。１３は撮像素子１２によって光電変換された被写体像に対応する情報を記録するメモリである。１４は撮像素子１２によって光電変換された被写体像を転送するためのネットワークケーブルである。
【００８４】
撮像装置としては監視カメラに限定されることはなく、ビデオカメラやデジタルカメラ等においても同様に用いることができる。
【００８５】
本発明の撮像装置は、上記のいずれかのズームレンズとともに、歪曲収差と倍率色収差のどちらか、もしくは両方を電気的に補正する回路を有していても良い。このようにズームレンズの歪曲収差等を許容することができる構成にすれば、ズームレンズ全体のレンズ枚数を少なくでき、全系の小型化が容易になる。また倍率色収差を電気的に補正する補正手段を用いれば、撮像した画像の色にじみを低減し、解像力の向上を図ることが容易になる。
【００８６】
以上、本発明の好ましい実施形態について説明したが、本発明はこれらの実施形態に限定されず、その要旨の範囲内で種々の変形及び変更が可能である。
【００８７】
次に本発明の実施例１乃至５にそれぞれ対応する数値データ１乃至５を示す。各数値データにおいて、ｉは物体側からの光学面の順序を示す。ｒｉは第ｉ番目の光学面（第ｉ面）の曲率半径、ｄｉは第ｉ面と第ｉ＋１面との間の間隔、ｎｄｉ、νｄｉはそれぞれｄ線に対する第ｉ番目の光学部材の材料の屈折率、アッベ数を示す。
【００８８】
ＢＦはバックフォーカスであり、最終レンズ面から近軸像面までの距離を空気換算長として表したものである。レンズ全長は第１レンズ面から最終レンズ面までの長さにバックフォーカスＢＦの値を加えた長さである。＊は非球面を意味する。またｋは離心率である。Ａ４、Ａ６、Ａ８、Ａ１０は非球面係数である。非球面形状は、面頂点を基準にして光軸からの高さｈの位置における光軸方向の変位をｘとするとき、
ｘ＝（ｈ2／Ｒ）／［１＋｛１−（１＋ｋ）（ｈ／Ｒ）2｝1/2］＋Ａ４×ｈ4＋Ａ６×ｈ6＋Ａ８×ｈ8＋Ａ１０×ｈ10
で表される。
【００８９】
但しＲは近軸曲率半径である。「ｅ−ｘ」は「１０-x」を意味している。各数値データにおける上述した各条件式との対応を表１、表２に示す。
【００９０】
［数値データ１］
単位 mm
面データ
面番号       r        d      nd         νd
1         64.609    1.40   1.85478    24.8           
2         38.459    5.06   1.49700    81.5           
3        290.666    0.15                             
4         40.050    3.04   1.59522    67.7           
5        157.406    0.10                             
6         32.512    2.52   1.59522    67.7           
7         68.128  (可変)                             
8         62.804    0.65   2.00100    29.1           
9          7.075    4.71                             
10        -22.167    1.94   1.95906    17.5           
11         -9.528    0.45   1.88300    40.8           
12         32.706    0.12                             
13         16.243    1.22   1.92286    18.9           
14         40.881  (可変)                             
15(絞り)    ∞     (可変)                             
16*        10.955    5.37   1.55332    71.7           
17*       -21.087  (可変)                             
18          9.788    2.13   1.48749    70.2           
19         29.249    0.50   2.00100    29.1           
20          7.210    2.46                             
21*         8.973    3.53   1.55332    71.7           
22*       -17.677  (可変)                             
23       -128.328    0.40   1.88300    40.8           
24          6.353  (可変)                             
25         12.655    2.59   1.66672    48.3           
26        -14.832    2.38                             
27          ∞       2.00   1.51633    64.1           
28          ∞       0.50                             
像面        ∞   
【００９１】
非球面データ
第16面
K =-7.90957e-001  A 4=-2.44765e-005  A 6= 1.56884e-007  A 8=-2.31065e-009  A10=-3.06071e-012  
第17面
K = 0.00000e+000  A 4= 1.15112e-004  A 6=-4.15838e-007  A 8=-8.60580e-011  
第21面
K =-2.34811e-001  A 4=-4.61556e-005  A 6=-2.12700e-006  A 8=-1.92241e-008  A10= 4.61138e-010  
第22面
K = 0.00000e+000  A 4=-2.58984e-006  A 6=-1.88828e-006  A 8= 1.51967e-009  
各種データ
ズーム比     39.08 
広角     中間     望遠
焦点距離       3.82    38.78   149.39  
Fナンバー      1.65     3.00     4.94 
半画角（度）  41.0      4.61    1.23   
像高           3.20     3.20     3.20  
レンズ全長    87.43    87.43    87.43  
BF             4.20     4.20     4.20  
d 7            0.52    25.61    31.12  
d14           31.66     6.57     1.06  
d15            5.56     1.98     0.67  
d17            2.12     0.85     2.43  
d22            1.98     7.29     1.87  
d24            3.05     2.59     7.73  
ズームレンズ群データ
群  始面    焦点距離  
1    1      43.99  
2    8      -5.99  
3   16      13.86  
4   18      26.48  
5   23      -6.85  
6   25      10.64  
【００９２】
［数値データ２］
単位 mm
面データ
面番号       r        d      nd         νd
1         65.363    1.40   1.85478    24.8           
2         39.383    5.61   1.49700    81.5           
3        264.287    0.15                             
4         42.131    3.48   1.59522    67.7           
5        184.272    0.10                             
6         34.209    2.78   1.59522    67.7           
7         68.015  (可変)                             
8         62.330    0.65   2.00100    29.1           
9          7.085    4.63                             
10        -23.745    1.95   1.95906    17.5           
11         -9.790    0.45   1.88300    40.8           
12         30.140    0.09                             
13         15.695    1.20   1.92286    18.9           
14         35.702  (可変)                             
15(絞り)    ∞     (可変)                             
16*        12.672    5.08   1.69350    53.2           
17*       -29.444  (可変)                             
18         10.161    2.58   1.48749    70.2           
19        105.544    0.50   2.00100    29.1           
20          7.139    2.27                             
21*         9.111    3.66   1.55332    71.7           
22*       -12.790  (可変)                             
23       -242.373    0.40   1.91082    35.3           
24          6.669  (可変)                             
25         12.126    2.64   1.60342    38.0           
26        -14.973    2.68                             
27          ∞       2.00   1.51633    64.1           
28          ∞       0.50                             
像面        ∞   
【００９３】
非球面データ
第16面
K =-7.71248e-001  A 4=-2.09334e-005  A 6=-2.32030e-007  A 8=-1.69990e-009  A10=-1.38448e-011  
第17面
K = 0.00000e+000  A 4= 5.46054e-005  A 6=-4.79822e-007  A 8= 2.68075e-010  
第21面
K =-4.49533e-001  A 4=-9.73472e-005  A 6=-2.95376e-006  A 8=-5.87818e-008  A10= 1.57735e-009  
第22面
K = 0.00000e+000  A 4=-2.91512e-006  A 6=-4.21269e-006  A 8= 6.53932e-009  
各種データ
ズーム比     43.95 
広角     中間     望遠
焦点距離       3.83    38.73   168.13  
Fナンバー      1.73     2.97     5.14   
半画角（度）  41.0       4.63     1.10   
像高           3.20     3.20     3.20  
レンズ全長    91.45    91.45    91.45  
BF             4.50     4.50     4.50  
d 7            0.52    27.19    33.04  
d14           33.63     6.96     1.11  
d15            5.61     2.66     0.66  
d17            1.39     0.77     2.02  
d22            2.07     7.17     1.87  
d24            4.11     2.57     8.62  
ズームレンズ群データ
群  始面    焦点距離  
1    1      46.42  
2    8      -5.92  
3   16      13.44  
4   18      26.21  
5   23      -7.12  
6   25      11.53  
【００９４】
［数値データ３］
単位 mm
面データ
面番号       r        d      nd         νd
1         52.639    1.40   2.00069    25.5           
2         35.816    5.41   1.49700    81.5           
3        201.153    0.15                             
4         41.082    2.91   1.59522    67.7           
5        123.708    0.10                             
6         30.700    3.09   1.59522    67.7           
7         71.843  (可変)                             
8         41.302    0.65   2.00100    29.1           
9          6.713    4.82                             
10        -30.942    2.01   1.95906    17.5           
11        -11.476    0.45   1.91082    35.3           
12         25.266    0.16                             
13         15.297    1.52   1.95906    17.5           
14         61.954  (可変)                             
15(絞り)    ∞     (可変)                             
16*        12.972    3.46   1.69350    53.2           
17*       -29.430  (可変)                             
18       1359.110    0.50   2.00069    25.5           
19         12.092    0.10                             
20          8.803    1.46   1.49700    81.5           
21         12.758    2.05                             
22*        10.101    2.71   1.55332    71.7           
23*       -14.182  (可変)                             
24       -108.793    0.40   1.95375    32.3           
25          7.392  (可変)                             
26         20.768    1.99   1.80518    25.4           
27        -16.752    2.28                             
28          ∞       2.00   1.51633    64.1           
29          ∞       0.50                             
像面        ∞   
【００９５】
非球面データ
第16面
K =-8.31665e-001  A 4= 2.31250e-005  A 6= 4.40949e-007  A 8= 4.80355e-009  
第17面
K = 0.00000e+000  A 4= 1.20953e-004  A 6= 1.80874e-007  
第22面
K =-3.73810e-001  A 4=-1.01992e-004  A 6=-4.01433e-007  A 8=-4.16124e-008  
第23面
K = 0.00000e+000  A 4= 2.29459e-004  A 6=-8.56894e-007  
各種データ
ズーム比     39.10 
広角     中間     望遠
焦点距離       4.07    39.62   159.31  
Fナンバー      1.65     3.00     4.90  
半画角（度）  38.5       4.55     1.15   
像高           3.20     3.20     3.20  
レンズ全長    84.82    84.82    84.82  
BF             4.09     4.09     4.09  
d 7            0.52    24.77    30.09  
d14           30.30     6.06     0.73  
d15            5.39     2.84     0.49  
d17            2.86     0.89     0.81  
d23            4.36     7.67     1.89  
d25            1.97     3.18    11.38  
ズームレンズ群データ
群  始面    焦点距離  
1    1      43.23  
2    8      -6.90  
3   16      13.43  
4   18      22.65  
5   24      -7.25  
6   26      11.80  
【００９６】
［数値データ４］
単位 mm
面データ
面番号       r        d      nd         νd
1         62.576    1.30   1.85478    24.8           
2         37.070    4.95   1.49700    81.5           
3        252.281    0.15                             
4         41.949    2.92   1.59522    67.7           
5        151.204    0.10                             
6         30.883    3.01   1.59522    67.7           
7         75.090  (可変)                             
8         83.213    0.60   1.95375    32.3           
9          7.196    2.77                             
10         34.663    0.50   1.80400    46.6           
11         12.136    2.33                             
12        -18.151    0.50   1.77250    49.6           
13         57.022    0.10                             
14         20.195    2.03   1.95906    17.5           
15        -58.079  (可変)                             
16(絞り)    ∞     (可変)                             
17*        12.268    3.27   1.76450    49.1           
18        162.077    5.16                             
19         21.450    0.45   2.00100    29.1           
20          6.779    3.06   1.49700    81.5           
21         32.750    1.11                             
22*         8.568    3.25   1.49700    81.5           
23*       -16.698  (可変)                             
24        -97.247    0.40   1.95375    32.3           
25          8.073  (可変)                             
26         14.299    2.14   1.76182    26.5           
27        -19.210    2.29                             
28          ∞       2.00   1.51633    64.1           
29          ∞       0.50                             
像面        ∞   
【００９７】
非球面データ
第17面
K =-8.75166e-001  A 4= 1.75023e-005  A 6=-1.02628e-008  A 8=-8.89143e-010  A10= 7.90532e-012  
第22面
K = 3.43978e-001  A 4=-2.96730e-004  A 6=-5.98295e-006  A 8= 6.36801e-008  A10=-2.77317e-009  
第23面
K = 1.54412e+000  A 4= 9.10712e-005  A 6=-5.62864e-006  A 8= 1.81095e-007  A10=-3.72419e-009  
各種データ
ズーム比     39.10 
広角     中間     望遠
焦点距離       3.93    38.53   153.51  
Fナンバー      1.65     3.00     4.90  
半画角（度）  40.4      4.69     1.20   
像高           3.20     3.20     3.20  
レンズ全長    87.41    87.41    87.41  
BF             4.11     4.11     4.11  
d 7            0.60    24.73    30.03  
d15           30.23     6.10     0.80  
d16            5.89     1.69     0.60  
d23            3.79     8.22     1.90  
d25            2.69     2.46     9.88  
ズームレンズ群データ
群  始面    焦点距離  
1    1      42.56  
2    8      -6.38  
3   17      14.18  
4   24      -7.80  
5   26      11.07  
【００９８】
［数値データ５］
単位 mm
面データ
面番号       r        d      nd         vd
1         60.851    1.30   1.85478    24.8           
2         37.270    4.94   1.49700    81.5           
3        246.433    0.15                             
4         42.053    3.43   1.59522    67.7           
5        136.112    0.10                             
6         32.187    3.51   1.59522    67.7           
7         76.439  (可変)                             
8         87.603    0.60   1.95375    32.3           
9          7.309    2.93                             
10         53.525    0.50   1.85150    40.8           
11         13.375    2.14                             
12        -20.387    0.50   1.77250    49.6           
13         53.565    0.10                             
14         20.354    2.06   1.95906    17.5           
15        -57.827  (可変)                             
16(絞り)    ∞     (可変)                             
17*        10.947    3.82   1.76450    49.1           
18        440.738    3.86                             
19         27.425    0.45   2.00100    29.1           
20          6.521    2.91   1.43700    95.1           
21         18.605    1.01                             
22*         7.681    3.66   1.49700    81.5           
23*       -12.855  (可変)                             
24        -56.321    0.40   1.95375    32.3           
25          7.732  (可変)                             
26         18.313    1.95   1.84666    23.9           
27        -17.525    2.28                             
28          ∞       2.00   1.51633    64.1           
29          ∞       0.50                             
像面        ∞   
【００９９】
非球面データ
第17面
K =-1.10884e+000  A 4= 5.19322e-005  A 6=-1.23956e-007  A 8= 1.22160e-009  A10=-1.19281e-011  
第22面
K = 4.04079e-001  A 4=-5.15700e-004  A 6=-7.28653e-006  A 8= 5.30036e-010  A10=-5.65112e-009  
第23面
K =-7.86419e-001  A 4= 2.38274e-005  A 6=-3.52404e-006  A 8= 9.78293e-010  A10=-1.11232e-009  
各種データ
ズーム比     43.99 
広角     中間     望遠
焦点距離       3.97    43.52   174.78  
Fナンバー      1.65     3.00     4.90  
半画角（度）  39.6      4.12     1.05   
像高           3.20     3.20     3.20  
レンズ全長    88.40    88.40    88.40  
BF             4.10     4.10     4.10  
d 7            0.60    25.19    30.59  
d15           30.79     6.20     0.80  
d16            6.39     1.18     0.60  
d23            4.22     8.88     1.90  
d25            1.98     2.53    10.09  
ズームレンズ群データ
群  始面    焦点距離  
1    1      43.83  
2    8      -6.39  
3   17      14.14  
4   24      -7.11  
5   26      10.85  
【０１００】
【表１】
0006732505.tif 000002
【０１０１】
【表２】
0006732505.tif 000003
【符号の説明】
【０１０２】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
ＳＰ  絞り又は光量調整装置    ＬＲ  後群
【図１】
0006732505.tif 000004
【図２】
0006732505.tif 000005
【図３】
0006732505.tif 000006
【図４】
0006732505.tif 000007
【図５】
0006732505.tif 000008
【図６】
0006732505.tif 000009
【図７】
0006732505.tif 000010
【図８】
0006732505.tif 000011
【図９】
0006732505.tif 000012
【図１０】
0006732505.tif 000013
【図１１】
0006732505.tif 000014